(57)【要約】コンパクトディスクやミニディスクなど薄型板状体の使用・保管時、ディスク６の取出および収納が素早くできて着脱操作性が向上するディスク収容装置１に係る。ディスク収容装置１では、仕切壁２により複数列に区画された収納室３を形成した収容ケース４が設けられ、各収納室３に対応する取付板５に所定間隔で長手方向に傾斜するように取付けてディスク６を着脱自在に装着する複数列の把持部７を有する。使用時には取付板５を把持部７が上面となるように設置し、非使用時にはディスク６を収容ケース４に収納すべく取付板５を収納室３に被せる。このため、使用および非使用に際しては、ディスク６を把持部７から引抜いたり把持部７に差込むことで済み、把持部７に対する着脱動作を素早く行なえて着脱操作性が向上する。
2004096671.tif 000002
【特許請求の範囲】
【請求項１】
仕切壁により複数列に区画された収納室を形成した収容ケースと、
各収納室に対応する取付板に所定間隔で長手方向に傾斜するように取付けてディスクを着脱自在に装着する複数列の把持部とを備え、
使用時には前記取付板を前記把持部が上面となるように設置し、非使用時には前記ディスクを前記収容ケースに収納すべく前記取付板を前記収納室に被せるようにしたことを特徴とするディスク収容装置。
【請求項２】
前記把持部は、前記ディスクを弾接状態に保持する断面略コ字状のグリップ部であることを特徴とする請求項１に記載のディスク収容装置。
【請求項３】
前記把持部は、ディスクを着脱自在に挟む有端環状の枠体であることを特徴とする請求項１に記載のディスク収容装置。
【請求項４】
前記枠体は、略コの字状をなして対向する腕桟部に前記ディスクの隅角部が嵌まる穴部を形成していることを特徴とする請求項３に記載のディスク収容装置。
【請求項５】
前記枠体は、前記ディスクの隅角部をスライドにより案内する断面略コ字状のレール部を形成していることを特徴とする請求項３に記載のディスク収容装置。
【請求項６】
前記枠体は、基端部から前記腕桟部に到る部分に前記ディスクの隣接する辺部を差込むスリットを形成していることを特徴とする請求項３に記載のディスク収容装置。
【請求項７】
ディスクを着脱自在に装着する差込口を複数列にわたって形成した取付基体と、
この取付基体の内側面で前記差込口の開口周縁部に設けられて前記ディスクの前記差込口を通過する部分を受け入れる受容部とを備えたことを特徴とするディスク収容装置。
【請求項８】
前記受容部は、前記ディスクに弾接する略円弧状のリップ部からなることを特徴とする請求項７に記載のディスク収容装置。
【請求項９】
前記取付基体の外側面で前記差込口の開口周縁部には、前記ディスクの隅角部を通過させて前記差込口から前記受容部に導く案内部が形成されていることを特徴とする請求項７に記載のディスク収容装置。
【請求項１０】
前記案内部は、前記ディスクに弾接する略円弧状のリップ部からなることを特徴とする請求項９に記載のディスク収容装置。
【請求項１１】
前記差込口は、前記取付基体の母線に対して傾斜して前記ディスクが所定の間隔で部分的に重なり合うようになっていることを特徴とする請求項７ないし請求項１０のいずれかに記載のディスク収容装置。
【請求項１２】
取付基体の外表面に所定間隔で長手方向に対して傾斜するように取付け、ディスクを着脱自在に装着する複数列の把持部を備えていることを特徴とするディスク収容装置。
【請求項１３】
前記把持部は、前記ディスクを弾接状態に保持する断面略コ字状のグリップ部であることを特徴とする請求項１２に記載のディスク収容装置。
【請求項１４】
前記把持部は、ディスクを着脱自在に挟む有端環状の枠体であることを特徴とする請求項１２に記載のディスク収容装置。
【請求項１５】
前記枠体は、略コの字状をなして対向する腕桟部に前記ディスクの隅角部が嵌まる穴部を形成していることを特徴とする請求項１４に記載のディスク収容装置。
【請求項１６】
前記枠体は、前記ディスクの隅角部をスライドにより案内する断面略コ字状のレール部を形成していることを特徴とする請求項１４または請求項１５に記載のディスク収容装置。
【請求項１７】
前記枠体は、基端部から前記腕桟部に到る部分に前記ディスクの隣接する辺部を差込むスリットを形成していることを特徴とする請求項１５または請求項１６のいずれかに記載のディスク収容装置。
【発明の詳細な説明】
【技術分野】  本発明は、各種のコンパクトディスク、ミニディスクやフレキシブルディスク、フロッピー（登録商標）ディスクといった薄型板状体を合理的に保管したり、出し入れするディスク収容装置に関する。
【背景技術】  この種のディスク類の多くはＣＤ、ＭＤやＦＤなど略称されてコンピュータ関連機器の起動をはじめ、記録、更新や保存などに頻繁に用いられている。コンピュータ関連機器で情報通信を行ったり、インターネットで楽曲を選択して享受したり、事務処理などに利用された後には、再使用を考慮して所定の位置に収容したり保管している。使用後の保管にあたっては、例えば収納ケースに仕舞ったり、本立て状の収納スタンドやディスクスタンドの前後に重なり合うように収容されている（例えば特開平１１−２０８７６０号公報、登録実用新案第３０３８８５６号公報および実開平１−１２２４９４号公報参照）。
ところで、ディスクの表面には、再使用時の便宜上、保存内容が一目で分かるように題名を記入したラベルが貼られて再使用の際の便宜に供しているのが一般的である。上記のようにディスクを収納ケースに仕舞ったり、収納スタンドやディスクスタンドに収容するものでは、収納時にディスク同士の全体が重なり合ってしまうので、ディスクの題名が見え難い。このため、取り出したいディスクを見出すには、再使用時に重なり合ったディスクを引き上げながら逐一確認してディスクの出し入れを繰り返す必要があり、面倒で手間取りがちな作業となっている。とりわけディスクの枚数が多くなると、再使用や保管時に所望のものを取出したり、仕舞ったりする作業が煩わしくなり作業性が一層悪化する恐れがある。
本発明は上記事情に鑑みてなされ、その目的は外部からディスクの題名を容易に視認できて所望のディスクを素早く着脱することが可能となって着脱操作性が向上し、併せて整理・保管に便利でコンピュータ関連機器に適用した場合、事務能率の改善に資するディスク収容装置を提供することにある。
【発明の開示】
（１）ディスク収容装置において、収容ケースは、仕切壁により複数列に区画された収納室を形成している。複数列の把持部は、各収納室に対応する取付板に所定間隔で長手方向に傾斜するように取付けられてディスクを着脱自在に装着する。使用時には取付板を把持部が上面となるように設置し、非使用時にはディスクを収容ケースに収納すべく取付板を収納室に被せる。
使用に際してディスクを取出すには、収容ケースから取付板を外して取出位置でディスクを把持部から引抜けばよい。非使用時には、ディスクを把持部に差し込んで取付板を収容ケースの収納室に被せた収容位置に置けばよい。
このため、使用および非使用に際しては、ディスクを把持部から引抜いたり把持部に差込むことで済み、把持部に対する着脱動作を素早く行なうことができて着脱操作性が向上する。また、ディスクを把持部に差込み取付板を収容ケースの収納室に被せることで、ディスクを整理・収容することができて便利である。また、把持部は、取付板に所定間隔で長手方向に傾斜しているので、使用位置では、複数のディスクが所定間隔をあけて部分的に重なり合う。このため、使用時に隣り合うディスクの隙間から各ディスクの題名を容易に視認することができて所望のディスクを素早く取出すことができる。この結果、ディスクをコンピュータ関連機器に適用した場合、ディスクの整理整頓が図られるとともに、ディスクの素早い着脱動作が可能になって事務能率の改善に資する。
（２）把持部は、ディスクを弾接状態に保持する断面略コ字状のグリップ部であるので、比較的簡素な構造でディスクの着脱を実現することができる。
（３）把持部は、ディスクを着脱自在に挟む有端環状の枠体から構成されている。比較的構造が簡素な枠体により、ディスクを挟む機能が生じて枠体の有効利用が図られる。
（４）枠体は、略コの字状をなして対向する腕桟部にディスクの隅角部が嵌まる穴部を形成している。このため、枠体に対するディスクの装着が確実になるとともに、ディスクが穴部に嵌まる際、スナップ動作により発生する嵌合音に併せて節度感が生じて操作性が向上する。
（５）枠体は、ディスクの隅角部をスライドにより案内する断面略コ字状のレール部を形成している。このため、装着時にディスクがレール部をスライドするようになって円滑な装着操作性を得ることができる。
（６）枠体は、基端部から腕桟部に到る部分にディスクの隣接する辺部を差込むスリットを形成している。このため、ディスクの装着状態が安定するとともに、腕桟部の拡縮変形が生じ易くなって楽な操作で枠体に対するディスクの着脱を行うことができる。
（７）取付基体は、ディスクを着脱自在に装着する差込口を複数列にわたって形成している。受容部は、取付基体の内側面で差込口の開口周縁部に設けられてディスクの差込口を通過する部分を受け入れる。このため、差込口を通過したディスクは受容部で受け止められるようになって、差込口に対するディスクの装着状態がぐらつくことなく確実に安定する。
（８）受容部は、ディスクに弾接する略円弧状のリップ部からなるため、リップ部がディスクを良好に受け止め、ディスクの差入操作が円滑になり装着操作性の向上に資する。
（９）取付基体の外側面で差込口の開口周縁部には、ディスクの隅角部を通過させて差込口から受容部に導く案内部が形成されている。このため、ディスクは案内部と差込口と受容部の三者により受け止められ、差込口に対するディスクの装着状態が一層安定する。
（１０）案内部は、ディスクに弾接する略円弧状のリップ部からなるため、リップ部がディスクを良好に摺動・案内するようになりディスクの差入動作が円滑になり装着操作性の向上に資する。
（１１）差込口は、取付基体の母線に対して傾斜してディスクを所定の間隔で部分的に重なり合わせるように配置している。このため、使用時に隣り合うディスク間の隙間から各ディスクの題名を容易に視認することができて所望のディスクを素早く取出すことができる。
（１２）取付基体の外表面に所定間隔で長手方向に対して傾斜するように取付けてディスクを着脱自在に装着する複数列の把持部を備える。このため、把持部にディスクを装着した際、複数のディスクが所定間隔をあけて部分的に重なり合う。この結果、請求項１１と同様に各ディスクの題名を容易に視認できて所望のディスクを素早く取出すことができる。
【図面の簡単な説明】  図１の（ａ）はディスク収納装置の分解斜視図、（ｂ）は把持部の拡大縦断面図である（第１実施例）。
図２の（ａ）はディスクを把持部に装着した状態を示す拡大斜視図、（ｂ）は把持部の縦断面図である（第２実施例）。
図３の（ａ）はディスクを把持部に装着した状態を示す拡大斜視図、（ｂ）は把持部の縦断面図である（第３実施例）。
図４の（ａ）はディスクを把持部に装着した状態を示す拡大斜視図、（ｂ）は把持部の縦断面図である（第４実施例）。
図５はディスクを把持部に装着した状態を示す拡大斜視図である（第５実施例）。
図６はディスクを把持部に装着した状態を示す拡大斜視図である（第６実施例）。
図７はディスクを把持部に装着した状態を示す拡大斜視図である（第７実施例）。
図８はディスクを把持部に装着した状態を示す拡大斜視図である（第８実施例）。
図９はディスク収容装置の斜視図である（第９実施例）。
図１０はディスク収容装置の斜視図である（第１０実施例）。
図１１の（ａ）はディスクを差込口に装着した状態を示す拡大斜視図であり、（ｂ）は差込口の縦断面図である（第１０実施例）。
図１２の（ａ）はディスクを差込口に装着した状態を示す拡大斜視図であり、（ｂ）は差込口の縦断面図である（第１１実施例）。
図１３の（ａ）はディスクを差込口に装着した状態を示す拡大斜視図であり、（ｂ）は差込口の縦断面図である（第１２実施例）。
図１４の（ａ）はディスクを差込口に装着した状態を示す拡大斜視図であり、（ｂ）は差込口の縦断面図である（第１３実施例）。
図１５の（ａ）はディスクを差込口に装着した状態を示す拡大斜視図であり、（ｂ）は差込口の縦断面図である（第１４実施例）。
【発明を実施するための最良の形態】  本発明の各実施例を図面に基づいて説明する。本発明の第１実施例を示す図１において、ディスク収容装置１は、事務室などの机上やコンピュータ関連機器の周辺など適宜の場所に設置される。ディスク収容装置１は、図１の（ａ）に示すように仕切壁２により複数列（例えば４列）に区画された収納室３を形成した収容ケース４を有する。縦長矩形状の取付板５は各収納室３に対応して形成されたもので、各収納室３に着脱可能に被せられるようになっている。取付板５には、例えば矩形のディスク６を着脱自在に装着する複数列の把持部７が所定間隔で長手方向に傾斜（例えば１０度〜６０度の角度範囲）するように取付けられている。把持部７は断面略コ字状のグリップ部を形成し、図１の（ｂ）に示すようにディスク６の辺部を弾性挟持により着脱自在に保持する。把持部７の先端対向部は、ディスク６を受入れ易くするように面取りにより切欠ガイド部７Ａを形成している。また、ディスク６に対する把持部７の弾性挟持力を調整すべく、把持部７の先端開口幅ｔをディスク６の厚み寸法Ｔよりも若干小さくなるように設定している。
使用時には取付板５を把持部７が上面となるように使用位置に設置し、把持部７から所望のディスク６を抜出してコンピュータ（図示せず）などに適用する。また、非使用時にはコンピュータなどから取出したディスク６を把持部７に差込み、取付板５を収納室３に被せた収容位置でディスク６を収容ケース４に収納する。
上記構成では、ディスク６の使用および収容に際しては、ディスク６を把持部７から引抜いたり把持部７に差込むことで済み、把持部７に対するディスク６の着脱動作を素早く行なうことができて着脱作業が向上する。また、ディスク６を把持部７に差込み取付板５を収容ケース４の収納室３に被せることで、ディスク６を整理・収容することができて便利である。また、把持部７は、取付板５に所定間隔で長手方向に傾斜しているので、長手方向から見れば、使用位置では、複数のディスク６が所定間隔をあけて部分的に重なり合う。このため、使用時に隣り合うディスク６の隙間から各ディスク６の題名を容易に視認することができて所望のディスク６を素早く取出すことができる。この結果、ディスク６をコンピュータ関連機器に適用した場合、ディスク６の整理整頓が図られるとともに、ディスク６の素早い着脱により事務能率の改善に資する。
図２は本発明の第２実施例を示す。第２実施例では、図２の（ａ）に示すように把持部７は互いに対面し合う挟持片７ａ、７ｂからなり、挟持片７ａ、７ｂの各先端部には弾接部８、９を一体に形成している。弾接部８、９間の幅寸法は、ディスク６の厚み寸法よりも若干小さくなっており、ディスク６を把持部７に差込む時、弾接部８、９が弾性変形によりディスク６の辺部を挟むことにより保持する（図２の（ｂ）参照）。なお、挟持片７ａ、７ｂの基端部底面１０は、取付板５に対して所定の角度αだけ傾斜している。このため、ディスク６が角度αだけ傾いた状態で把持部７に差込まれるようになり、把持部７に対するディスク６の着脱操作を行い易くしている。なお、弾接部８、９の対向先端部は、面取りにより幅広に形成してディスク６を把持部７に差込み易くしてもよい。
図３は本発明の第３実施例を示す。第３実施例が第２実施例と異なるところは、第３実施例では把持部７の基本端部７Ｂを薄肉化により痩身部として把持部７の機能を損なうことなく材料の節約に資するようにしたことである。
図４は本発明の第４実施例を示す。第４実施例では、図４の（ａ）に示すように第３実施例の弾接部８、９を省略して挟持片７ａ、７ｂのうち一方の挟持片７ｂに略円弧状のリップ部７ｃを一体に形成している。このため、ディスク６を把持部７に差込む時、図４の（ｂ）に示すようにリップ部７ｃがディスク６を案内するとともに、ディスク６の片面に外接状態に弾接してディスク６を保持する。なお、円弧状のリップ部７ｃは、ディスク６の両面に弾接すべく挟持片７ａ、７ｂの双方に形成してもよい。
図５は本発明の第５実施例を示す。第５実施例の把持部７は、ディスク６を着脱自在に挟む有端環状の枠体１１から形成している。枠体１１は、断面略コ字状で、全体的に略コ字状に曲成されたレール部１１ｃから構成されている。枠体１１の互いに対向する腕桟部１１ａ、１１ｂには、ディスク６の隅角部６ａ、６ｂが嵌まる穴部１２、１３を形成している。この場合、腕桟部１１ａ、１１ｂ間の開口幅寸法Ｗは、ディスク６の対角線長さ寸法Ｄよりも若干小さく設定されている。このため、把持部７に対するディスク６の着脱にあたっては、腕桟部１１ａ、１１ｂを弾性的に拡縮変形させながら、穴部１２、１３に対するディスク６の係脱操作を行なう。
図６は本発明の第６実施例を示す。第６実施例が第５実施例と異なるところは、第６実施例では腕桟部１１ａ、１１ｂのうち一方の腕桟部１１ｂに外方に拡開するように傾斜するテーパ状の先端ガイド部１４を形成したことである。これにより、腕桟部１１ａ、１１ｂ間の開口幅寸法Ｗよりも若干大きなガイド開口幅Ｗｔを確保し、ディスク６の隅角部６ｂを腕桟部１１ａ、１１ｂに差入れ易くしている。このため、装着時にディスク６の隅角部６ａを穴部１２に嵌めて、隅角部６ｂをレール部１１ｃに沿ってスライドさせて穴部１２に嵌める際、腕桟部１１ｂが実線の位置から二点鎖線の位置を経て元の実線の位置まで弾性的に拡縮変形する。なお、先端ガイド部１４は腕桟部１１ａ、１１ｂの一方のみでなく双方に形成してもよい。
図７は本発明の第７実施例を示す。第７実施例が第５実施例と異なるところは、第７実施例では腕桟部１１ａ、１１ｂのうち一方の腕桟部１１ａを平板状に形成し、腕桟部１１ａに穴部１２を外部に連通させる切欠状の出入部１５を設けたことである。このため、ディスク６の着脱時、ディスク６の隅角部６ａを出入部１５を介して穴部１２に差込んだり、穴部１２から抜出したりすることによりディスク６の着脱を素早く行なうことができる。この場合、他方の腕桟部１１ｂも平板状に形成し、腕桟部１１ｂにも穴部１３を外部と連通させる出入部を設けてもよい。
図８は本発明の第８実施例を示す。第８実施例では、第５実施例の腕桟部１１ａ、１１ｂを長尺な平板状に形成し、腕桟部１１ａ、１１ｂのうち穴部１２、１３を除く部分を外方に凹となる湾曲状に曲成している。枠体１１の基端部１１ｄから腕桟部１１ａ、１１ｂに到る部分にディスク６の隣接する辺部６ｃ、６ｄを差込む細長なスリット１６、１７を形成している。このため、ディスク６の装着状態が安定するとともに、腕桟部１１ａ、１１ｂの拡縮変形が生じ易くなって楽な操作で枠体１１に対するディスク６の着脱を行うことができる。
上記の第１実施例ないし第８実施例では、取付板５を収容ケース４との組合わせとして適用したが、取付板５を単体の取付基体として用いて机上などの設置面に単独で設置し、収容ケース４とは別個のものとして扱うようにしてもよい。
図９は本発明の第９実施例を示す。第９実施例では、縦型の筒状体１８をディスク収容装置１９の取付基体として用いている。筒状体１８は、スタンド２０および支軸２０ａを介して設置され、外表面には例えば三条からなる螺旋状路面部２１Ａを形成している。螺旋状路面部２１Ａには、第５実施例（図５参照）と同様な枠体１１が筒状体１８の軸方向に沿って所定の間隔をあけて取付けられている。なお、第５実施例の枠体１１に代わって、第６実施例ないし第８実施例（図６ないし図８参照）の枠体１１を筒状体１８にそれぞれ取付けて本発明の他の実施例としてもよい。
図１０および図１１は本発明の第１０実施例を示す。第１０実施例では、断面略矩形の筒状体１８をディスク収容装置２１の取付基体として用いている。筒状体１８の四辺には、ディスク６の隅角部６ａを着脱自在に差し込むための差込口２２が上下複数段にわたって形成されている。差込口２２は、図１０に示すように筒状体１８の母線Ｍに対して所定の角度だけ傾斜し、母線Ｍに沿う方向に対してはディスク６が所定の間隔で部分的に重なり合う。筒状体１８の内側面には、図１１の（ａ）、（ｂ）に示すように差込口２２の開口周縁部に設けられ、差込口２２を通過するディスク６の隅角部６ａを受け入れる受容部２３を形成している。受容部２３は、差込口２２に対するディスク６の差込み操作に伴って隅角部６ａを挟持する一対の略Ｌ字状の挟持片部２３ａ、２３ｂからなる。なお、図１１では、便宜上の理由から筒状体１８の一面部のみを示して他の部分を省略している。このことは、後述する図１２ないし図１５でも同様である。
第１０実施例では、装着時にディスク６が差込口２２に差込まれて挟持片部２３ａ、２３ｂにより把持されるので、ディスク６がぐらつくことなく確実に安定する。なお、差込口２２の深さ方向は、筒状体１８の表面に対して略垂直であるが、筒状体１８の内側１８ａから外側１８ｂへの方向に対し上向きに傾斜するようにしてもよい。
図１２は本発明の第１１実施例を示す。第１１実施例では、受容部２３を断面略コ字状に形成し、対向壁面を挟壁部２４Ａ、２４Ｂとし底面部に透孔２４Ｃを形成している。挟壁部２４Ａ、２４Ｂのうち一方の挟壁部２４Ａには、略円弧状のリップ部２４Ｄを形成している。このため、装着時にディスク６の隅角部６ａが差込口２２に差込を通過して透孔２４Ｃに差し込まれるとともに、リップ部２４Ｄがディスク６の片面に外接状態に弾接する。
図１３は本発明の第１２実施例を示す。第１２実施例では、第１０実施例の挟持片部２３ａ、２３ｂに代わって、略円弧状のリップ部２３ｃ、２３ｄから受容部２３を形成している。このため、装着時にディスク６を差込口２２に差込むに伴ってリップ部２３ｃ、２３ｄがディスク６の両面に外接状態に弾接する。
図１４は本発明の第１３実施例を示す。第１３実施例では、第１０実施例の挟持片部２３ａ、２３ｂに加えて、筒状体１８の外側面で差込口２２の開口周縁部には、ディスク６の隅角部６ａを通過させて差込口２２から挟持片部２３ａ、２３ｂに導く案内部２５が形成されている。案内部２５は、ディスク６の装着操作に伴い、隅角部６ａをスライドにより差込口２２に案内する一対の略逆Ｌ字状の差込片部２５ａ、２５ｂからなる。このため、装着時にディスク６が挟持片部２３ａ、２３ｂとともに、差込片部２５ａ、２５ｂにより保持されるようになってディスク６の装着状態が格段に安定する。
図１５は本発明の第１４実施例を示す。第１４実施例では、第１３実施例の挟持片部２３ａ、２３ｂに代わって略円弧状のリップ部２３ｅ、２３ｆを形成し、差込片部２５ａ、２５ｂに代わって略円弧状のリップ部２５ｃ、２５ｄを設けている（図１５の（ａ）参照）。このため、ディスク６の装着時、図１５の（ｂ）に示すようにディスク６の隅角部６ａがリップ部２５ｃ、２５ｄに案内されて差込口２２に差込まれ、案内部２５のリップ部２５ｃ、２５ｄおよび受容部２３のリップ部２３ｅ、２３ｆがディスク６の両面にそれぞれ外接状態に弾接する。
上記の第１０実施例ないし第１４実施例（図１０ないし図１５参照）では、筒状体１８を取付基体として説明したが、取付基体を机上などの設置面に単独で設置できるように台座あるいは厚板基盤状に形成して本発明の他の実施例としてもよい。
上記各実施例では、ディスク６を把持部７に装着するようにしたが、ディスク６を内蔵したパッケージ自体を把持部７に着脱するようにしてもよい。取付板５、筒状体１８および把持部７の材料としては、プラスチックに限らず青銅、真鍮、鉄、鋼、アルミニウム、ステンレススチールなどの金属、セラミック、木材や各種の新素材を用いてもよい。また、有端環状の枠体１１は略コ字状に限らず、略半円形や略半楕円形などでもよく、要はディスク６を把持できる形状であればよい。また、ディスク６の形状については、矩形ばかりでなく円形や多角形など各種の幾何形状を適用することができる。その他、本発明のディスク収容装置１、１９、２１は新製品の発売や新店舗の営業時などに提供するノベルティとして使用できるなど本発明の要旨を逸脱しない範囲で種々変更することができる。
【産業上の利用可能性】  本発明のディスク収容装置１では、コンパクトディスクやミニディスクなど薄型板状体の使用・保管時、ディスク６の取出および収納が素早くできて着脱操作性を向上させている。このため、ディスク収容装置１では、仕切壁２により複数列に区画された収納室３を形成した収容ケース４が設けられ、各収納室３に対応する取付板５に所定間隔で長手方向に傾斜するように取付けてディスク６を着脱自在に装着する複数列の把持部７を有する。使用時には取付板５を把持部７が上面となるように設置し、非使用時にはディスク６を収容ケース４に収納すべく取付板５を収納室３に被せる。使用および非使用に際しては、ディスク６を把持部７から引抜いたり把持部７に差込むことで済み、把持部７に対する着脱動作を素早く行なえて着脱操作性が向上し、ディスク６を用いてコンピュータにより事務処理などの業務を行う産業界に広く適用することができる。
【図１】
2004096671.tif 000003
【図２】
2004096671.tif 000004
【図３】
2004096671.tif 000005
【図４】
2004096671.tif 000006
【図５】
2004096671.tif 000007
【図６】
2004096671.tif 000008
【図７】
2004096671.tif 000009
【図８】
2004096671.tif 000010
【図９】
2004096671.tif 000011
【図１０】
2004096671.tif 000012
【図１１】
2004096671.tif 000013
【図１２】
2004096671.tif 000014
【図１３】
2004096671.tif 000015
【図１４】
2004096671.tif 000016
【図１５】
2004096671.tif 000017
【手続補正書】
【提出日】平成17年3月30日(2005.3.30)
【手続補正００１】
【補正対象書類名】特許請求の範囲
【補正対象項目名】全文
【補正方法】変更
【補正の内容】
【特許請求の範囲】
【請求項１】
仕切壁により複数列に区画された収納室を形成した収容ケースと、
各収納室に対応する取付板に所定間隔で長手方向に傾斜するように取付けてディスクを着脱自在に装着する複数列の把持部とを備え、
前記把持部は、ディスクを着脱自在に挟む有端環状の枠体であり、
前記枠体は、略コの字状をなして対向する腕桟部に前記ディスクの隅角部が嵌まる穴部を形成し、
使用時には前記取付板を前記把持部が上面となるように設置し、非使用時には前記ディスクを前記収容ケースに収納すべく前記取付板を前記収納室に被せるようにしたことを特徴とするディスク収容装置。
【請求項２】
前記把持部は、前記枠体に代わって、一対の挟持片からなり、これら挟持片の一方に、前記ディスクの片面を外接させて弾接保持する円弧状のリップ部を形成していることを特徴とする請求項１に記載のディスク収容装置。
【請求項３】
削    除
【請求項４】
削    除
【請求項５】
前記枠体は、前記ディスクの隅角部をスライドにより案内する断面略コ字状のレール部を形成していることを特徴とする請求項１に記載のディスク収容装置。
【請求項６】
前記枠体は、前記穴部に代わって、基端部から前記腕桟部に到る部分に前記ディスクの隣接する辺部を差込むスリットを形成していることを特徴とする請求項１に記載のディスク収容装置。
【請求項７】
ディスクを着脱自在に装着する差込口を複数列にわたって形成した取付基体と、
この取付基体の内側面で前記差込口の開口周縁部に設けられて前記ディスクの前記差込口を通過する部分を受け入れる受容部とを備え、
前記取付基体の外側面で前記差込口の開口周縁部には、前記ディスクの隅角部を通過させて前記差込口から前記受容部に導く案内部が形成され、
前記案内部は、前記ディスクに弾接する略円弧状のリップ部からなることを特徴とするディスク収容装置。
【請求項８】
前記受容部は、前記ディスクに弾接する略円弧状のリップ部からなることを特徴とする請求項７に記載のディスク収容装置。
【請求項９】
削    除
【請求項１０】
削    除
【請求項１１】
前記差込口は、前記取付基体の母線に対して傾斜して前記ディスクが所定の間隔で部分的に重なり合うようになっていることを特徴とする請求項７に記載のディスク収容装置。
【請求項１２】
取付基体の外表面に所定間隔で長手方向に対して傾斜するように取付け、ディスクを着脱自在に装着する複数列の把持部を備え、
前記把持部は、ディスクを着脱自在に挟む有端環状の枠体であり、
前記枠体は、略コの字状をなして対向する腕桟部に前記ディスクの隅角部が嵌まる穴部を形成していることを特徴とするディスク収容装置。
【請求項１３】
前記把持部は、前記枠体に代わって、一対の挟持片からなり、これら挟持片の一方に、前記ディスクの片面を外接させて弾接保持する円弧状のリップ部を形成しているこことを特徴とする請求項１２に記載のディスク収容装置。
【請求項１４】
削    除
【請求項１５】
削    除
【請求項１６】
削    除
【請求項１７】
取付基体の外表面に所定間隔で長手方向に対して傾斜するように取付け、ディスクを着脱自在に装着する複数列の把持部を備え、
前記把持部は、ディスクを着脱自在に挟む有端環状の枠体であり、
前記枠体は、基端部から前記腕桟部に到る部分に前記ディスクの隣接する辺部を差込むスリットを形成していることを特徴とするディスク収容装置。
【請求項１８】
前記枠体は、互いに対向する前記腕桟部を外方に凹となるように湾曲状に曲成されていることを特徴とする請求項１７に記載のディスク収容装置。
【手続補正００２】
【補正対象書類名】明細書
【補正対象項目名】０００５
【補正方法】変更
【補正の内容】
【０００５】
る。
（１２）取付基体の外表面に所定間隔で長手方向に対して傾斜するように取付けてディスクを着脱自在に装着する複数列の把持部を備える。このため、把持部にディスクを装着した際、複数のディスクが所定間隔をあけて部分的に重なり合う。この結果、前述のように、各ディスクの題名を容易に視認できて所望のディスクを素早く取出すことができる。
（１３）枠体は、互いに対向する腕桟部を外方に凹となるように湾曲状に曲成されている。このため、ディスクの装着状態が安定するとともに、腕桟部の拡縮変形が生じ易くなって、枠体に対するディスクの装着操作が楽になる。
図面の簡単な説明
図１の（ａ）はディスク収納装置の分解斜視図、（ｂ）は把持部の拡大縦断面図である（第１実施例）。
図２の（ａ）はディスクを把持部に装着した状態を示す拡大斜視図、（ｂ）は把持部の縦断面図である（第２実施例）。
図３の（ａ）はディスクを把持部に装着した状態を示す拡大斜視図、（ｂ）は把持部の縦断面図である（第３実施例）。
図４の（ａ）はディスクを把持部に装着した状態を示す拡大斜視図、（ｂ）は把持部の縦断面図である（第４実施例）。
図５はディスクを把持部に装着した状態を示す拡大斜視図である（第５実施例）。
図６はディスクを把持部に装着した状態を示す拡大斜視図である（第６実施例）。
図７はディスクを把持部に装着した状態を示す拡大斜視図である（第７実施例）。
図８はディスクを把持部に装着した状態を示す拡大斜視図である（第８実施例）。




【国際調査報告】
2004096671.tif 000018
2004096671.tif 000019
2004096671.tif 000020
2004096671.tif 000021